(57)【要約】【課題】　光ピックアップ装置を提供する。【解決手段】　対物レンズが搭載される強化プラスチック材質の第１ブレード部と、駆動用コイルが設けられるマグネシウム合金材質の第２ブレード部とで全体ブレードを構成する。このような構成によれば、熱伝導係数の低い第１ブレード部がコイルから対物レンズへの熱伝逹を抑制し、熱伝導係数の高い第２ブレード部はコイルから発生した熱を外気に速かに放熱させるために、対物レンズの熱変形を抑制し、コイルの損傷やブレードの剛性低下問題も解決しうる。【選択図】　　　図３
2004119001.tif 000002
【特許請求の範囲】
【請求項１】
　対物レンズが搭載されるブレードと、前記ブレードをベースに備えられたホルダーに対して弾力的に遊動可能に支持するワイヤーと、前記ブレードに設けられて前記対物レンズのフォーカス及びトラッキング方向の変位駆動のための通電経路を形成する駆動用コイルと、前記ベースに設けられて前記駆動用コイルを流れる電流と共に前記対物レンズを変位させる電磁気力を発生させるためのマグネットを含む光ピックアップ装置において、
　前記ブレードは前記対物レンズが設けられる第１ブレード部と、前記駆動用コイルが設けられる第２ブレード部とを含み、前記第１ブレード部は前記第２ブレード部に比べて相対的に熱伝導係数が低いことを特徴とする光ピックアップ装置。
【請求項２】
　前記第１ブレード部は強化プラスチック材質よりなり、前記第２ブレード部はマグネシウム合金材質よりなることを特徴とする請求項１に記載の光ピックアップ装置。
【請求項３】
　前記第１ブレード部は、前記第２ブレード部を金型内に装着した状態で強化プラスチックを注入して射出成形されることによって、成形と同時に前記第２ブレード部に備えられた結合部との結合がなされることを特徴とする請求項２に記載の光ピックアップ装置。
【請求項４】
　前記結合部は前記第２ブレード部で前記第１ブレード部側に突出された延長片と、前記強化プラスチックが充填さるべくその延長片に形成された少なくとも１つの結合ホールを備えることを特徴とする請求項３に記載の光ピックアップ装置。
【請求項５】
　ホルダーと、
　対物レンズが設けられる第１ブレード部と、駆動用コイルが設けられる第２ブレード部とを含むブレードとを含み、
　前記第１ブレード部は前記第２ブレード部に比べて相対的に熱伝導係数が低いことを特徴とする光ピックアップ装置。
【請求項６】
　前記第１ブレード部は強化プラスチック材質よりなり、前記第２ブレード部はマグネシウム合金材質よりなることを特徴とする請求項５に記載の光ピックアップ装置。
【請求項７】
前記第２ブレード部の両端部に位置されて前記第１ブレード部を一体化するための結合ユニットがさらに備えられたことを特徴とする請求項６に記載の光ピックアップ装置。
【請求項８】
　前記結合ユニットは、
　前記第２ブレード部から前記第１ブレード部側に突出された延長片と、
　前記第１ブレード部を第２ブレード部に一体的に結合させるようにその延長片に形成された少なくとも１つの結合ホールとを備えることを特徴とする請求項７に記載の光ピックアップ装置。
【請求項９】
　ホルダーと、
　前記ホルダーに対して移動自在であり、相異なる熱伝導係数の２つの材質よりなる第１及び第2ブレード部を有するハイブリッドタイプブレードを含む光ピックアップ装置。
【請求項１０】
　前記第１ブレード部に設けられる対物レンズと、
　前記第２ブレード部に設けられて前記ホルダーに対して前記対物レンズを駆動させる駆動コイルとをさらに含むことを特徴とする請求項９に記載の光ピックアップ装置。
【請求項１１】
　前記第１ブレード部は前記第２ブレード部に比べて熱伝導係数が低いことを特徴とする請求項９または１０に記載の光ピックアップ装置。
【請求項１２】
　前記第１ブレード部は強化プラスチック材質よりなることを特徴とする請求項１１に記載の光ピックアップ装置。
【請求項１３】
　前記強化プラスチック材質はガラスファイバが３０％程度添加されたベクトラ材であることを特徴とする請求項１２に記載の光ピックアップ装置。
【発明の詳細な説明】
【技術分野】
【０００１】
　本発明は光ピックアップ装置に係り、特に放熱構造が備えられた光ピックアップ装置に関する。
【背景技術】
【０００２】
　一般にＣＤＰ（コンパクトディスクプレーヤ）やＤＶＤＰ（デジタルバーサタイルディスクプレーヤ）のようなディスクドライブには、ディスクの半径方向に沿って移動しつつそのディスクに光を照射し、それから反射される光を受光し、情報を記録／再生する光ピックアップ装置が備えられている。この光ピックアップ装置は、図１に示されたように、光学系（図示せず）が内蔵されたベース１７と、このベース１７上のホルダー１３に一端が固定された複数のワイヤー１６により遊動可能に支持されるブレード１２と、ブレード１２に搭載された対物レンズ１１と、この対物レンズ１１のフォーカシング方向Ａとトラッキング方向Ｂの駆動のためにブレード１２に設けられて通電経路を形成するフォーカシングコイル１４及びトラッキングコイル１５と、各コイル１４、１５に流れる電流との相互作用でブレード１２を駆動させるための電磁気力を発生させる磁石１９及びヨーク１８ａ、１８ｂを含んで構成される。したがって、情報の記録と再生作業が進めば、光学系からの出射光が対物レンズ１１を通じて集束されてディスク（図示せず）の記録面に照射され、この時駆動用コイル１４、１５には光が正確な位置に照射さるべく対物レンズ１１の位置を制御するための電流が供給されてブレード１２を駆動させる。
【０００３】
　ところで、前記のような光ピックアップ装置の動作時には、駆動用コイルのフォーカシングコイル１４及びトラッキングコイル１５で約７０ないし８０℃の熱が発生する。このように発生した熱の放出が正しく行われないと、ブレード１２や対物レンズ１１などにその熱がそのまま伝えられて対物レンズ１１の熱変形やブレード１２の剛性低下現象などが発生することによって光ピックアップ再生信頼度に悪影響を与えうる問題点がある。したがって、これを解決するための方案として図１の光ピックアップ装置ではカバー１０に放熱シワを形成して表面積を広げることによって、その拡大された表面積を通じてよく放熱させた。しかし、カバー１０はベース１７にのみ直接接触しており、ブレード１２やコイル１４、１５とは接触されていないために、コイル１４、１５から発生した熱が空気を通じてカバー１０に伝えられざるをえない。したがって、あまりカバー１０の放熱面積を広げるとしてもコイル１４、１５から発生した熱を放出するのに効率が落ちざるをえず、特にその熱が対物レンズ１１に伝えられることを抑制することはさらに難しい。
【０００４】
　一方、従来の他の構造として、光ピックアップ装置に別の放熱ファンを設けて過熱発生時、放熱ファンを駆動させてコイルにより発生した熱を冷却させる構造が提案された。しかし、この構造の装置は過熱を感知するための過熱検出センサーと風を起こすための放熱ファン及びモータなどを別途に設けなければならないために、構造が複雑になり、光ピックアップ装置の大きさも大きくなる短所を含んでいる。また、最近の他部分のディスクドライブが小型軽量化される趨勢にあることを勘案すれば、別の放熱ファンとモータなどを設けなければならないことは設計上大ない負担になり、特にノート型パソコンのように携帯型機器に採用される場合であれば、別のモータを採用することはバッテリーの消耗を促進させる直接的な要因となる。
【０００５】
　そして、さらに他の従来の構造として、図２に示されたように、対物レンズ２０とコイル２２が設けられたブレード２１に放熱部材２３を取り付けて、コイル２２から発生した熱をこの放熱部材２３を通じて容易に放出させた構造が提案された。しかし、このような構造は、放熱効率は若干高まるが、コイル２２から発生した熱が対物レンズ２０に直接伝達されることを抑制することはできない。すなわち、ブレード２１を通じて対物レンズ２０に既に伝えられている熱の一部を放熱部材２３を通じて放出することに過ぎないため、対物レンズ２０の熱変形を抑制することには特に寄与していない。
【特許文献１】特開平９−０９１７２５号公報
【発明の開示】
【発明が解決しようとする課題】
【０００６】
　本発明は前記従来の問題点を勘案して案出されたものであって、放熱ファンや放熱モータのような別途の冷却用駆動装置を追加せずにも対物レンズへの熱伝逹を効率よく抑制して駆動コイルから発生する熱を速かに放熱可能に改善された光ピックアップ装置を提供するのにその目的がある。
【課題を解決するための手段】
【０００７】
　前記目的を達成するための本発明は、対物レンズが搭載されるブレードと、前記ブレードをベースに備えられたホルダーに対して弾力的に遊動可能に支持するワイヤーと、前記ブレードに設けられて前記対物レンズのフォーカス及びトラッキング方向の変位駆動のための通電経路を形成する駆動用コイルと、前記ベースに設けられて前記駆動用コイルを流れる電流と共に前記対物レンズを変位させる電磁気力を発生させるためのマグネットを含む光ピックアップ装置において、前記ブレードは前記対物レンズが設けられる第１ブレード部と、前記駆動用コイルが設けられる第２ブレード部を含み、前記第１ブレード部は前記第２ブレード部に比べて相対的に熱伝導係数が低いことを特徴とする。
【発明の効果】
【０００８】
　本発明による光ピックアップ装置は次のような効果を有する。
【０００９】
　第１に、熱伝導係数が低い第１ブレード部に対物レンズを設けて駆動用コイルと熱的に分離することによって対物レンズの熱変形を抑制できる。
【００１０】
　第２に、逆に駆動用コイルは熱伝導係数が高い第２ブレード部に設けて放熱を速かに進められるので、過熱によるコイルの損傷やブレードの剛性低下を防止しうる。
【００１１】
　第３に、別途の冷却装置を追加せずにも光ピックアップ装置内の熱を効率よく放出できるので、装置の小型軽量化に有利である。
【発明を実施するための最良の形態】
【００１２】
　以下、添付した図面に基づいて本発明を詳細に説明する。
【００１３】
　図３は本発明に係る光ピックアップ装置を示す。本発明の光ピックアップ装置は、対物レンズ３３が搭載されるブレード３０と、そのブレード３０をベース３６上のホルダー３５に対して移動自在に支持する複数のワイヤー３４と、ブレード３０をフォーカシング方向Ａとトラッキング方向Ｂなどに駆動させるための電磁気駆動手段として駆動用コイル３９及びマグネット３７を備える。したがって、駆動用コイル３９に電流を供給してマグネット３７との相互作用による電磁気力を発生させることによってワイヤー３４に支持されたブレード３０を所望の位置に移動させることになる。参照符号３８ａ及び３８ｂは磁気力線を集束させる内外側ヨークを示す。
【００１４】
　ここで、本発明のブレード３０は、図３及び図４に示されたように相異なる材質よりなる第１ブレード部３１と第２ブレード部３２とで構成されており、第１ブレード部３１には対物レンズ３３が、第２ブレード部３２には駆動用コイル３９が各々搭載される。これはコイル３９から発生した熱が対物レンズ３３にそのまま伝達されることをできるだけ抑制しようとする点と、その熱をブレード３０の内部から外部に容易に放出させようとする点とが共に考慮された構成である。例えば、熱伝導係数が高い材質でブレード３０全体を構成すればコイル３９から発生した熱がそのまま対物レンズ３３に伝達されて対物レンズ３３の熱変形を招きうる。そうであるとしても、無条件に熱伝導係数が低い材質だけでブレード３０を構成するならば、対物レンズ３３への伝熱はある程度は抑制できるが、コイル３９の熱がブレード３０に留まる時間が延びるためにコイル３９自体が損傷されるか、あるいはブレード３０が過熱されつつ多様な問題を引き起こしうる。すなわち、駆動用コイル３９は図６に示されたように電流流れを担当する導線３９ａと、その周囲を取り囲んでいる絶縁膜３９ｂ及び、隣接したコイルとの接着のための自己接着膜３９ｃよりなっているが、コイル３９が過熱された状態で放熱が効率よくなされなければ、自己接着膜３９ｃが破壊されて一定の形に巻かれていたコイル３９が解除され、さらには絶縁膜３９ｂまで破壊されて駆動コイルとしての機能さえ喪失する恐れがある。また、ブレード３０は温度が上昇すれば逆にヤング率が下がり、こうなると光ピックアップ装置の２次共振周波数がサーボ制御領域と重なり得る低周波領域に移動して制御に悪影響を与えられる。
【００１５】
　したがって、本構成ではこのような２種の相反する問題点を共に解決するために、顕著に異なる熱伝導係数を有する２種の材質の第１及び第2ブレード部３１、３２を一体に結合させたハイブリッドタイプのブレード３０を提供した。
【００１６】
　このため、対物レンズ３３が搭載される第１ブレード部３１は熱伝導係数が低い強化プラスチック材質で構成し、駆動用コイル３９が搭載される第２ブレード部３２は熱伝導係数が高い金属材質で構成する。強化プラスチック材質としては、例えばプラスチックにガラスファイバが３０％程度添加されたベクトラ材料が望ましく採用され、金属材質としては軽くて熱伝導度に優れたマグネシウム合金が望ましく採用されうる。ベクトラとマグネシウム合金間の熱伝導係数差は約１００倍程度となる。したがって、対物レンズ３３を搭載した非常に低い熱伝導係数の第１ブレード部３１と、駆動用コイル３９を搭載した非常に高い熱伝導係数の第２ブレード部３２とが結合されたハイブリッドブレード３０が作られる。
【００１７】
　そして、このような第１及び第2ブレード部３１、３２を一体に結合させるのにはインサートモールディング方式が用いられる。すなわち、マグネシウム合金で図５のような形状の第２ブレード部３２を先に製作した後、これを全体ブレード３０の形状が形成されている射出金型内に入れて強化プラスチックを注入して射出成形すれば、先に作られた第２ブレード部３２に第１ブレード部３１が一体化されている図４のような最終ブレード３０が得られる。ここで、第２ブレード部３２には射出成形後、第１ブレード部３１との結合力を高めるための構造の結合部３２ａを有している。すなわち、図５に示されたように結合部３２ａは第２ブレード部３２から第１ブレード部３１側に突出された延長片３２ａ１と、射出成形時に強化プラスチックが充填されるようにその延長片３２ａ１に形成された結合ホール３２ａ２を備えている。したがって、射出成形時に延長片３２ａ１の周りだけでなく、結合ホール３２ａ２内にも強化プラスチックが充填されつつ図４のような形に凝固されるために、如何なる方向の外力に対しても第１及び第2ブレード部３１、３２間の結合状態を堅固に保持できる。延長片３２ａ１を平らな形にせず、傾斜部と段差部などのある複雑な形にしたことも射出成形による結合後、全ての方向の外力に対する対抗力を強めるためである。
【００１８】
　このような構成のブレード３０を採用した光ピックアップ装置を駆動すれば、図７に示されたような温度分布がブレード３０に形成される。すなわち、対物レンズ３３が搭載された第１ブレード部３１側は温度があまり高くなく、コイル３９が搭載された第２ブレード部３２の温度も相対的には高いが、激しくは過熱されないものと分かった。このような温度分布が現れる理由は次の通りである。一旦、駆動用コイル３９から発生した熱は熱伝導度に優れた第２ブレード部３２に速やかに伝熱され、同時に外気に容易に放熱される。すなわち、マグネシウム合金よりなる第２ブレード部３２が駆動用コイル３９の熱を伝達されて外気に速かに放熱させる放熱板の役割を行うことである。これにより、過熱によりコイル３９が損傷されるか、ブレード３０の剛性が低下するなどの問題を避けられる。図８は前記のような光ピックアップ装置のコイル３９に過電流を流した後、電流供給前後の２次共振周波数変化を測定したものであるが、ほとんど変化が無いことが分かる。これはブレード３０の剛性がほとんど低下していないことを意味する。また、ベクトラよりなる第１ブレード部３１は第２ブレード部３２と連結しているが熱伝導係数が第２ブレード部３２の１００分の１に過ぎないために、熱伝逹速度が急に落ちてむしろ第２ブレード部３２の放熱速度よりも遅くなる。したがって、第１ブレード部３１の対物レンズ３３周辺には温度がほとんど上昇されない。
【００１９】
　結局、熱伝導係数の低い第１ブレード部３１は対物レンズ３３への熱伝逹を抑制し、熱伝導係数の高い第２ブレード部３２はコイル３９から発生した熱を外気に速かに放熱させることによって、対物レンズ３３の熱変形を抑制すると同時にコイル３９の損傷やブレード３０の剛性低下問題までも解決できる。
【産業上の利用可能性】
【００２０】
　本発明は放熱構造が備えられた光ピックアップ装置に適用されうる。
【図面の簡単な説明】
【００２１】
【図１】従来の光ピックアップ装置を示す図である。
【図２】従来の光ピックアップ装置を示す図である。
【図３】本発明に係る光ピックアップ装置を示す図である。
【図４】図３に示された光ピックアップ装置のうちブレードを示す図である。
【図５】図４に示されたブレードのうち第２ブレード部を示す図である。
【図６】図３に示された光ピックアップ装置のうち駆動用コイルの断面を示す図である。
【図７】図３に示された光ピックアップ装置の駆動時にブレードに形成される温度分布を示す図である。
【図８】図３に示された光ピックアップ装置の駆動前後に２次共振周波数の変化を示す図である。
【符号の説明】
【００２２】
３０　　ブレード
３１　　第１ブレード部
３２　　第２ブレード部
３３　　対物レンズ
３４　　ワイヤー
３５　　ホルダー
３６　　ベース
３７　　マグネット
３８ａ、３８ｂ　内外側ヨーク
３９　　駆動用コイル
３９ａ　導線
３９ｂ　絶縁膜
３９ｃ　自己接着膜
【図１】
2004119001.tif 000003
【図２】
2004119001.tif 000004
【図３】
2004119001.tif 000005
【図４】
2004119001.tif 000006
【図５】
2004119001.tif 000007
【図６】
2004119001.tif 000008
【図７】
2004119001.tif 000009
【図８】
2004119001.tif 000010